(57)【要約】  洗浄機構１２は、洗剤１及び洗剤２により反応容器３を洗浄する。Ｒ１試薬サンプリング機構８は、洗浄機構１２によって洗浄された反応容器３を特別な洗剤により洗浄する。計数部は、特定の試薬項目に対する反応容器３毎の使用回数を計数し、記憶部に記憶する。判断部は、計数された使用回数が所定の閾値Ｎ１を超えたか否かを判断する。制御部は、計数された使用回数が所定の閾値Ｎ１を超えた場合、サンプルを分注する周期を示す分注サイクル時間に全反応容器数と所定の整数を乗じた値以下の期間だけ特別な洗剤で所定の閾値Ｎ１を超えた反応容器３を漬け置きするようにＲ１試薬サンプリング機構８を制御する。
2014171346.tif 000002
【特許請求の範囲】
【請求項１】
複数の反応容器を保持する保持機構と、
第１の洗剤及び第２の洗剤により前記反応容器を洗浄する洗浄機構と、
前記洗浄機構によって洗浄された前記反応容器に第３の洗剤を供給する洗剤供給機構と、
特定の試薬項目に対する反応容器毎の使用回数を記憶するための記憶部と、
前記特定の試薬項目に対する反応容器毎の使用回数を計数し、前記記憶部に記憶する計数部と、
計数された前記使用回数が所定の閾値Ｎ１を超えたか否かを判断する判断部と、
計数された前記使用回数が前記所定の閾値Ｎ１を超えた場合、サンプルを分注する周期を示す分注サイクル時間に全反応容器数と所定の整数を乗じた値以下の期間だけ第３の洗剤で前記所定の閾値Ｎ１を超えた反応容器を漬け置きするように洗剤供給機構を制御する制御部と、
を備えることを特徴とする自動分析装置。
【請求項２】
請求項１に記載の自動分析装置であって、
前記制御部は、
計数された前記使用回数が前記所定の閾値Ｎ１を超えた場合、前記所定の閾値Ｎ１を超えた反応容器について測定中には漬け置きしないようにし、前記所定の閾値Ｎ１を超えた反応容器の測定が終了した後に、新たな測定依頼が無ければ前記所定の閾値Ｎ１を超えた反応容器を漬け置きするように前記洗剤供給機構を制御し、
計数された前記使用回数が前記所定の閾値Ｎ１より大きい所定の閾値Ｎ２を超えた場合、新たな測定依頼が有っても前記所定の閾値Ｎ２を超えた反応容器に新たな測定を割り当てないで、前記所定の閾値Ｎ２を超えた反応容器を漬け置きするように前記洗剤供給機構を制御する
ことを特徴とする自動分析装置。
【請求項３】
請求項１に記載の自動分析装置であって、
前記洗剤供給機構は、
試薬容器から反応容器へ試薬を分注する試薬サンプリング機構及びサンプル容器から前記反応容器へサンプルを分注する検体サンプリング機構とは別に設けられた第３の洗剤専用のノズルを備えた、
ことを特徴とする自動分析装置。
【請求項４】
請求項１に記載の自動分析装置であって、
前記保持機構は、回転可能な円盤状の反応ディスクである
ことを特徴とする自動分析装置。
【請求項５】
請求項１に記載の自動分析装置であって、
前記閾値Ｎ１は２以上である
ことを特徴とする自動分析装置。
【請求項６】
請求項１に記載の自動分析装置であって、
前記制御部は、
前記第３の洗剤で前記所定の閾値Ｎ１を超えた反応容器を、前記分注サイクル時間の１０倍以上の期間、漬け置きするように前記洗剤機構を制御する
ことを特徴とする自動分析装置。
【請求項７】
請求項１に記載の自動分析装置において、
前記第３の洗剤で前記所定の閾値Ｎ１を超えた反応容器を漬け置きする間に前記第３の洗剤を撹拌する
ことを特徴とする自動分析装置。
【発明の詳細な説明】
【技術分野】
【０００１】
本発明は血液、尿等の生体成分の定性・定量分析を行う自動分析装置に係り、特に、反応容器を反応ディスクの円周上に配列して反応容器を周方向に移動させながら分析する自動分析装置に関する。
【背景技術】
【０００２】
自動分析装置は、光度計などの手段によりサンプルと試薬の反応を測定し、サンプル中に含まれる成分を測定する装置である。なお、自動分析装置は、試験管或いは専用の容器から血液、尿、髄液等のサンプルを反応容器に分注し、試薬容器から試薬を反応容器に分注し、サンプルと試薬を混合する。【０００３】
円盤状の反応ディスクを備える自動分析装置では、反応容器が反応ディスクの周方向に配列される。ここで、反応容器を汚し易い特定の試薬項目が、特定の反応容器に繰り返し使用された場合には、その反応容器が著しく汚れる場合がある。この場合、分析動作中においてその反応容器が使用できなくなり分析のスループットが低下する。【０００４】
従来、このような著しい汚れによる分析のスループットの低下を防止するため、反応容器を汚し易い特定の試薬項目について測定を行なった場合、その測定後に毎回特別な洗剤を反応容器に充填し、一定時間保持することで洗浄が実施されている。【０００５】
これに関連し、使用回数又は使用時間の経過に伴って蓄積する汚れに起因したキャリーオーバー（サンプルや試薬が次の分析に持ち越されること）を、洗浄対象毎に回避することが可能な自動分析装置が知られている（例えば、特許文献１参照）。
【先行技術文献】
【特許文献】
【０００６】
【特許文献１】特開２０１１−１１２５０２号公報
【発明の概要】
【発明が解決しようとする課題】
【０００７】
特許文献１に示すような自動分析装置は、使用回数又は使用時間が所定値を超えた場合に、反応容器を所定の洗剤で洗浄する。【０００８】
しかし、所定の洗剤で洗浄する度にすべての反応容器が使用できなくなり、分析のスループットが低下するという問題があった。【０００９】
本発明の目的は、使用回数又は使用時間の経過に伴って蓄積する汚れに起因したキャリーオーバーを回避しつつ、分析のスループットの低下を抑制することができる自動分析装置を提供することにある。
【課題を解決するための手段】
【００１０】
上記目的を達成するために、本発明は、複数の反応容器を保持する保持機構と、第１の洗剤及び第２の洗剤により前記反応容器を洗浄する洗浄機構と、前記洗浄機構によって洗浄された前記反応容器に第３の洗剤を供給する洗剤供給機構と、特定の試薬項目に対する反応容器毎の使用回数を記憶するための記憶部と、前記特定の試薬項目に対する反応容器毎の使用回数を計数し、前記記憶部に記憶する計数部と、計数された前記使用回数が所定の閾値Ｎ１を超えたか否かを判断する判断部と、計数された前記使用回数が前記所定の閾値Ｎ１を超えた場合、サンプルを分注する周期を示す分注サイクル時間に全反応容器数と所定の整数を乗じた値以下の期間だけ第３の洗剤で前記所定の閾値Ｎ１を超えた反応容器を漬け置きするように洗剤供給機構を制御する制御部と、を備えるようにしたものである。
【発明の効果】
【００１１】
本発明によれば、使用回数又は使用時間の経過に伴って蓄積する汚れに起因したキャリーオーバーを回避しつつ、分析のスループットの低下を抑制することができる。上記した以外の課題、構成及び効果は、以下の実施形態の説明により明らかにされる。
【図面の簡単な説明】
【００１２】
【図１】本発明の第１の実施形態である自動分析装置の構成図である。
【図２Ａ】本発明の第１の実施形態である自動分析装置に用いられる洗浄機構の構成図（正面図）である。
【図２Ｂ】本発明の第１の実施形態である自動分析装置に用いられる洗浄機構の構成図（上面図）である。
【図３】本発明の第１の実施形態である自動分析装置に用いられる制御装置の機能を説明するための図である。
【図４】本発明の第１の実施形態である自動分析装置の動作を説明するための図である。
【図５】本発明の第１の実施形態である自動分析装置の動作を説明するためのタイムチャートの一例である。
【図６】本発明の第２の実施形態である自動分析装置の構成図である。
【図７】本発明の第２の実施形態である自動分析装置の動作を説明するためのタイムチャートの一例である。
【発明を実施するための形態】
【００１３】
（第１の実施形態）  
以下、図１〜図５を用いて、本発明の第１の実施形態である自動分析装置１００Ａの構成及び動作を説明する。
【００１４】
最初に、図１を用いて、本発明の第１の実施形態である自動分析装置１００Ａの全体構成を説明する。図１は、本発明の第１の実施形態である自動分析装置１００Ａの構成図である。
【００１５】
自動分析装置１００Ａは、主として、サンプルディスク２、反応ディスク４、検体サンプリング機構５、試薬ディスク７、Ｒ１試薬サンプリング機構８、Ｒ２／３試薬サンプリング機構９、測光部１０、コード読み取り機構１１、洗浄機構１２を備える。
【００１６】
サンプルディスク２は、分析対象となるサンプルを入れたサンプル容器１を複数保持する。反応ディスク４は、反応および測光を行うための反応容器３を複数保持する。なお、サンプルディスク２及び反応ディスク４は、回転可能であり、その形状は円盤状である。
【００１７】
検体サンプリング機構５は、サンプルディスク２に保持されたサンプル容器１からサンプルを吸引し、吸引したサンプルを反応ディスク４に保持された反応容器３へ分注する。
【００１８】
試薬ディスク７は、試薬容器６を複数保管し、保冷を行う。各試薬容器６には、サンプルと混合し、反応を行わせるための第１、第２又は第３の試薬が充填される。なお、試薬ディスク７は、回転可能であり、その形状は円盤状である。
【００１９】
本実施形態では、反応容器６を洗浄するための特別な洗剤も試薬容器６に充填され、試薬ディスク７に設置される。ここで、特別な洗剤として、洗浄効果（酸、アルカリ性強度）の異なる複数のタイプの洗剤を設定することができる。本実施形態では、酸系の洗剤（ｐＨ＝２〜３以下）、アルカリ系の洗剤（ｐＨ１２〜１４以上）を特別な洗剤として使用する。
【００２０】
Ｒ１試薬サンプリング機構８は、第１試薬用の試薬容器６から反応ディスク４に保持された反応容器３へ試薬を分注する。また、Ｒ１試薬サンプリング機構８は、所定のタイミングで反応容器３へ特別な洗剤を吐出し、洗浄を実施する。特別な洗剤を用いた洗浄動作の詳細については、図４及び図５を用いて後述する。
【００２１】
Ｒ２／３試薬サンプリング機構９は、第２試薬用又は第３試薬用の試薬容器６から反応ディスク４に保持された反応容器３へ試薬を分注する。測光部１０は、反応容器３からの透過光を測光する。コード読み取り機構１１は、試薬容器６に備えられた識別コードを読み取る。
【００２２】
洗浄機構１２は、洗浄水及び洗剤を吐出する吐出ノズル、反応液等を吸引する吸引ノズル等から構成される。洗浄機構１２は、反応容器３を洗浄水及び洗剤で洗浄する。洗浄機構１２の構成の詳細については、図２を用いて後述する。
【００２３】
Ｒ１撹拌機構１３は、反応ディスク４上の反応容器３内で反応しているサンプルおよび試薬の混合液を撹拌する。Ｒ２／３撹拌機構１４も、同様の機能を有する。
【００２４】
制御装置２０は、コンピュータ等から構成され、各テーブル（サンプルディスク２、反応ディスク４、試薬ディスク７）及び各機構（検体サンプリング機構５、Ｒ１試薬サンプリング機構８等）の動作制御を行う。
【００２５】
なお、反応ディスク４、洗浄機構１２、Ｒ１試薬サンプリング機構８は、それぞれ、保持機構、洗浄機構、洗剤供給機構に対応する。
【００２６】
次に、図２Ａを用いて、本発明の第１の実施形態である自動分析装置１００Ａに用いられる洗浄機構１２の構成を説明する。図２Ａは、本発明の第１の実施形態である自動分析装置１００Ａに用いられる洗浄機構１２の構成図（正面図）である。
【００２７】
洗浄機構１２は、アーム１２ａ、吸引ノズルＳ１〜Ｓ６及びＳ９、吐出ノズルＤ１〜Ｄ５及びＤ７、支持部１２ｂ、シリンジポンプＳＰ等を備える。
【００２８】
吸引ノズルＳ１と吐出ノズルＤ１は、それぞれが隣接するようにアーム１２ａに設置される。吸引ノズルＳ２〜Ｓ５及び吐出ノズルＤ２〜Ｄ５も同様にアーム１２ａに設置される。
【００２９】
吸引ノズルＳ（Ｓ１〜Ｓ９）は、シリンジポンプにより反応容器３から反応液、洗浄水などの液体を吸引する。また、吐出ノズルＤ（Ｄ１〜Ｄ７）は、シリンジポンプにより反応容器３へ洗浄水、洗剤等の液体を吐出する。
【００３０】
なお、吸引ノズルＳ１〜Ｓ８及び吐出ノズルＤ１〜Ｄ７の径は、略同一であるが、吸引ノズルＳ９の径はそれらに比べて大きい。その理由は、反応容器３に残った洗浄水を完全に吸引するためである。ただし、吸引ノズルＳ９の径を大きくする代わりに、径の大きなアタッチメントを取り付けてもよい。洗浄機構１２の動作の詳細は、図４を用いて後述する。
【００３１】
次に、図２Ｂを用いて、本発明の第１の実施形態である自動分析装置１００Ａに用いられる洗浄機構１２の構成を説明する。図２Ｂは、本発明の第１の実施形態である自動分析装置１００Ａに用いられる洗浄機構１２の構成図（上面図）である。
【００３２】
アーム１２ａは、略１／４リング形状である。吸引ノズルＳ（Ｓ１〜Ｓ９）及び吐出ノズルＤ（Ｄ１〜Ｄ７）は、アーム１２ａの下面に円弧状に配置される。
【００３３】
具体的には、吸引ノズルＳ１及び吐出ノズルＤ１の組と、吸引ノズルＳ２及び吐出ノズルＤ２の組と、吸引ノズルＳ３及び吐出ノズルＤ３の組と、吸引ノズルＳ４及び吐出ノズルＤ４の組と、吸引ノズルＳ５及び吐出ノズルＤ５の組と、吸引ノズルＳ６と、吐出ノズルＤ７と、吸引ノズルＳ８と、吸引ノズルＳ９は、一定の間隔で周方向に配置される。
【００３４】
なお、吸引ノズルＳ及び吐出ノズルＤの下（ｚ方向（−））に、測定が完了した反応容器３が位置するように反応ディスク４の回転が制御される。また、アーム１２ａの周方向の中央部に支持部１２ｂが固定される。
【００３５】
次に、図３を用いて、本発明の第１の実施形態である自動分析装置１００Ａに用いられる制御装置２０の機能を説明する。図３は、本発明の実施形態である自動分析装置１００Ａに用いられる制御装置２０の機能を説明するための図である。
【００３６】
制御装置２０は、プロセッサ２０１、記憶部２０２（ハードディスク、メモリ等）を備える。プロセッサ２０１は、計数部２０１ａ、判断部２０１ｂ、制御部２０１ｃとして機能する。
【００３７】
具体的には、計数部２０１ａは、コード読み取り機構１１で読み取られた試薬容器６の識別コードに基づいて、特定の試薬項目に対する反応容器３毎の使用回数を計数し、記憶部２０２に記憶する。判断部２０１ｂは、特定の試薬項目に対する反応容器３毎の使用回数が所定の閾値を超えたか否かを判断する。
【００３８】
制御部２０１ｃは、計数された使用回数が所定の閾値を超えた場合、サンプルを分注する周期を示す分注サイクル時間に全反応容器数と所定の整数を乗じた期間だけ特別な洗剤で漬け置きするようにＲ１試薬サンプリング機構８を制御する。なお、所定の閾値は、制御装置２０に接続された入力装置（キーボード、マウス等）から入力可能である。また、所定の閾値は２以上である。
【００３９】
次に、図４を用いて、本発明の第１の実施形態である自動分析装置１００Ａの動作を説明する。図４は、本発明の第１の実施形態である自動分析装置１００Ａの動作を説明するための図である。
【００４０】
最初に、液体（洗浄水、洗剤等）を反応容器に分注する周期を示す分注サイクルごとに洗浄機構１２の動作を説明する。
【００４１】
（１）第１番目のサイクルにおいて、洗浄機構１２は、吸引ノズルＳ１により反応容器３から反応液を吸引する。続いて、洗浄機構１２は、吐出ノズルＤ１により反応容器３へ洗浄水を吐出する。なお、洗浄水は、純水（イオン交換水）である。
【００４２】
（２）第２番目のサイクルにおいて、洗浄機構１２は、吸引ノズルＳ１により反応容器３から洗浄水を吸引する。続いて、洗浄機構１２は、吐出ノズルＤ２により反応容器３へ洗剤１を吐出する。なお、洗剤１は、アルカリ系の洗剤である。
【００４３】
（３）第３番目のサイクルにおいて、洗浄機構１２は、吸引ノズルＳ３により反応容器３から洗剤１を吸引する。続いて、洗浄機構１２は、吐出ノズルＤ３により反応容器３へ洗剤２を吐出する。なお、洗剤２は、酸性の洗剤である。
【００４４】
（４）第４番目のサイクルにおいて、洗浄機構１２は、吸引ノズルＳ４により反応容器３から洗剤２を吸引する。続いて、洗浄機構１２は、吐出ノズルＤ４により反応容器３へ洗浄水を吐出する。
【００４５】
（５）第５番目のサイクルにおいて、洗浄機構１２は、吸引ノズルＳ５により反応容器３から洗浄水を吸引する。続いて、洗浄機構１２は、吐出ノズルＤ５により洗浄水を吐出する。
【００４６】
（６）第６番目のサイクルにおいて、洗浄機構１２は、吸引ノズルＳ６により反応容器３から洗浄水を吸引する。
【００４７】
（７）第７番目のサイクルにおいて、洗浄機構１２は、吐出ノズルＤ７によりブランク水を吐出する。なお、ブランク水は、純水（イオン交換水）である。ブランク水は、洗剤１及び洗剤２により洗浄された状態を保つために用いられる。そのため、第７番目のサイクルにおいて反応容器３に吐出されるブランク水は、他のサイクルにおいて反応容器３に吐出される洗浄水よりも量が少ない。
【００４８】
（８）第８番目のサイクルにおいて、洗浄機構１２は、吸引ノズルＳ８により反応容器３からブランク水を吸引する。
【００４９】
（９）第９番目のサイクルにおいて、洗浄機構１２は、吸引ノズルＳ９により反応容器３からブランク水を吸引する。第８番目のサイクルと第９番目のサイクルにおいて、連続して反応容器３からブランク水が吸引されることにより、反応容器３内のブランク水がほぼ完全に吸引される。
【００５０】
上記（１）〜（９）で説明したように、通常の洗浄動作が完了する。続いて、Ｒ１試薬サンプリング機構８等による特別な洗浄動作を説明する。
【００５１】
（Ｊ）通常の洗浄動作が完了すると、制御装置２０は、洗浄機構１２による洗浄が終了した反応容器３について、特定の試薬項目（汚れが落ちにくいHbA1c（ヘモグロビン・エーワンシー）等）に対する測定回数が所定の閾値を超えたか否かを判断する。
【００５２】
制御装置２０は、測定回数が所定の閾値を超えていない場合、反応容器３の洗浄を終了する。その後、洗浄が終了した反応容器３は、次の測定に使用される。
【００５３】
一方、制御装置２０は、測定回数が所定の閾値を超えた場合、以下で説明するように、特別な洗浄を実施する。
【００５４】
（Ｋ）Ｒ１試薬サンプリング機構８は、測定回数が所定の閾値を超えた場合、試薬ディスク７に保持された特別な洗剤を吸引し、反応容器３へ特別な洗剤を吐出する。なお、本実施形態では、Ｒ１試薬サンプリング機構８が特別な洗剤を吸引・吐出しているが、Ｒ２／３試薬サンプリング機構９が特別な洗剤を吸引・吐出してもよい。
【００５５】
（Ｌ）Ｒ１撹拌機構１３は、反応容器内の特別な洗剤を撹拌する。これにより、洗浄効果が高まる。
【００５６】
（Ｍ）その後、一定時間、反応容器３を特別な洗剤で漬け置きする。特別な洗剤で漬け置きする時間は、（１）〜（９）において、洗浄機構１２が反応容器３を洗浄する時間よりも長い。なお、必ずしも必須ではないが、前述のように、反応容器を特別な洗剤で漬け置きする間に特別な洗剤を撹拌することが望ましい。
【００５７】
次に、図５を用いて、本発明の第１の実施形態である自動分析装置１００Ａの動作を説明する。図５は、本発明の第１の実施形態である自動分析装置１００Ａの動作を説明するためのタイムチャートの一例である。なお、説明を簡単にするため、反応ディスク４の周方向（例えば、時計周り）に配置された複数の反応容器３に連続番号（No.1, No.2, ...）を割り当てる。
【００５８】
以下では、No.2の反応容器３で特定の試薬項目（例えば、HbA1c）に対する測定回数が所定の閾値を超え、その他の反応容器では所定の閾値を超えていない場合における洗浄動作を一例として説明する。
【００５９】
（No.1の反応容器）  
まず、図５を用いて、No.1の反応容器３における洗浄動作を説明する。図４を用いて説明したように、第１番目のサイクルから第９番目のサイクルにおいて通常の洗浄が実施される。
【００６０】
ここで、No.1の反応容器３では特定の試薬項目に対する測定回数が所定の閾値を超えていない。そのため、第１０番目のサイクルにおいて、検体サンプリング機構５は、サンプルディスク２に保持されたサンプル容器１からサンプルを吸引し、吸引したサンプルをNo.1の反応容器３へ分注する。
【００６１】
第１１番目のサイクルにおいて、Ｒ１試薬サンプリング機構８は、第１試薬用の試薬容器６から試薬Ｒ１を吸引し、吸引した試薬Ｒ１をNo.1の反応容器３へ分注（添加）する。
【００６２】
第１２番目のサイクルにおいて、Ｒ１撹拌機構１３は、No.1の反応容器内の反応液を撹拌する。
【００６３】
その後、第５１番目のサイクルにおいて、Ｒ２／３試薬サンプリング機構９は、第２試薬用の試薬容器６から試薬Ｒ２を吸引し、吸引した試薬Ｒ２をNo.1の反応容器３へ分注する。
【００６４】
第５２番目のサイクルにおいて、Ｒ２／３撹拌機構１４は、No.1の反応容器内の反応液を撹拌する。
【００６５】
その後、第１６８番目のサイクルにおいて、測光部１０は、No.1の反応容器３の透過光の測光を完了する。
【００６６】
第１７０番目のサイクルから第１７８番目のサイクルにおいて、（１）〜（９）の処理が実行される。これにより、通常の洗浄が完了する。
【００６７】
（No.2の反応容器）
次に、図５を用いて、No.2の反応容器３における洗浄動作を説明する。第２番目のサイクルから第１０番目のサイクルにおいて通常の洗浄が実施される。なお、No.2の反応容器３の洗浄を開始するタイミングは、No.1の反応容器３と比較して、１サイクル分遅れている。
【００６８】
ここで、No.2の反応容器３では特定の試薬項目に対する測定回数が所定の閾値を超えている。そのため、第１２番目のサイクルにおいて、Ｒ１試薬サンプリング機構８は、試薬ディスク７に保持された特別な洗剤を吸引し、No.2の反応容器３へ特別な洗剤を吐出する。
【００６９】
第１３番目のサイクルにおいて、Ｒ１撹拌機構１３は、No.2の反応容器内の特別な洗剤を撹拌する。
【００７０】
その後、第１４番目のサイクルから第１７０番目のサイクルまで、No.2の反応容器は、特別な洗剤で漬け置きされる。
【００７１】
第１７１番目のサイクルから第１７８番目のサイクルにおいて、前述した（１）〜（９）の処理が実行される。
【００７２】
本実施形態では、No.1の反応容器３のように、通常の洗浄のみ実施されている場合、サンプルを分注する間隔は、１６９サイクルである。図５の例では、第１０番目のサイクルにおいてサンプルが分注された後、第１７９番目のサイクルにおいて次のサンプルを分注することが可能である。
【００７３】
一方、No.2の反応容器３のように、特別な洗浄が１回実施されると、サンプルを分注する間隔は、１６９＋１６９＝１６９×２サイクルとなる。ここで、特別な洗剤を漬け置きする時間は、洗剤を吐出するサイクルから漬け置きが完了するサイクルまでの時間とする。図５に示されるNo.2の反応容器３では、特別な洗剤を漬け置きする時間は、１２番目のサイクルから１７０番目のサイクルまでの時間である。つまり、特別な洗剤を漬け置きする時間は、１５９サイクルであり、自動分析装置１００Ａの分注サイクル×全反応容器数−(洗浄サイクル+空きサイクル)である。本実施例では、反応容器が１６９個、分注サイクルが３．６秒、洗浄サイクルが９サイクル、空きサイクルが１サイクルなので、漬け置き時間は、３．６×１６９−（９＋１）＝５７２．４秒となる。
【００７４】
なお、特別な洗剤を漬け置きする時間は、自動分析装置１００Ａの分注サイクル×全反応容器数×整数−（洗浄サイクル＋空きサイクル）であってもよい。ここで、洗浄サイクル及び空きサイクルは、自動分析装置毎に異なる。したがって、特別な洗剤を漬け置きする時間は、分注サイクル×全反応容器数×整数ＩＮＴ１−整数ＩＮＴ２と表される。換言すれば、特別な洗剤を漬け置きする時間は、分注サイクル×全反応容器数×整数の値以下に設定される。なお、この式に用いられる整数を入力装置から入力することにより、特別な洗剤を漬け置きする時間を指定してもよい。また、ここで整数とは１以上の整数を意味する。一方、下限については、分注サイクルの１０倍以上が望ましい。したがって、制御部２０１ｃは、特別な洗剤で所定の閾値を超えた反応容器を、分注サイクル時間の１０倍以上の期間、漬け置きするように洗剤供給機構を制御することが望ましい。
【００７５】
以上説明したように、本実施形態によれば、特別な洗浄が実施された後、通常の洗浄が実施され、次のサンプルが分注されるまでの時間を最短にすることができる。そのため、特別な洗浄を実施した場合であっても、分析のスループットの低下を抑制することができる。また、特別な洗浄により使用回数又は使用時間の経過に伴って蓄積する汚れに起因したキャリーオーバーを回避することができる。
【００７６】
（第２の実施形態）
次に、図６〜図７を用いて、本発明の第２の実施形態である自動分析装置１００Ｂの構成及び動作を説明する。
【００７７】
最初に、図６を用いて、本発明の第２の実施形態である自動分析装置１００Ｂの全体構成を説明する。図６は、本発明の第２の実施形態である自動分析装置１００Ｂの構成図である。なお、図６において、図１と同一部分には同一符号を付す。
【００７８】
図６では、図１と比較して、自動分析装置１００Ｂが特別な洗剤専用のノズル１５を備える点が異なる。本実施形態では、特別な洗剤は、試薬ディスク７以外の場所に設置される。具体的には、例えば、特別な洗剤専用のノズル１５の近傍に特別な洗剤を蓄えるタンクを設けてもよい。
【００７９】
次に、図７を用いて、本発明の第２の実施形態である自動分析装置１００Ｂの動作を説明する。図７は、本発明の第２の実施形態である自動分析装置１００Ｂの動作を説明するためのタイムチャートの一例である。
【００８０】
図７では、図５と比較して、No.2の反応容器３を特別な洗剤で洗浄するタイミングが異なる。具体的には、本実施形態では、第１３番目のサイクルにおいて、特別な洗剤専用のノズル１５からNo.2の反応容器３へ特別な洗剤が吐出される。
【００８１】
以上説明したように、本実施形態によれば、特別な洗剤専用のノズル１５により特別な洗剤を吐出するタイミングを適宜変更することができる。
【００８２】
（変形例１）  
検体サンプリング機構５が、特別な洗剤を反応容器３へ吐出するようにしてもよい。この場合、特別な洗剤はサンプル容器１と同様の容器に充填され、サンプルディスク２に設置される。
【００８３】
本変形例によれば、検体サンプリング機構５により特別な洗剤を吐出するタイミングを適宜変更することができる。
【００８４】
なお、本変形例では、検体容器１がサンプルディスク２に設置される自動分析装置を想定しているが、検体容器１がラックに設置される自動分析装置の場合、特別な洗剤は、ラックに設置される。
【００８５】
（変形例２）  
第１及び第２の実施形態では、計数部２０１ａが特定の試薬項目に対し反応容器３毎の使用回数をカウントして記憶部２０２に記憶する。ここで、特別な洗剤を用いて反応容器３の洗浄が実施された場合、反応容器３が交換された場合等、所定の動作が実施された場合に、記憶部２０２に記憶された使用回数をリセットしてもよい。
【００８６】
これら所定の動作が実施された後は、特定の試薬項目に対する反応容器毎の使用回数が閾値以下でもカウントはリセットされる。
【００８７】
（変形例３）  
また、特別な洗剤による洗浄を実施するか否かの基準となる、特定の試薬項目についての使用回数の閾値を複数設けてもよい。例えば２個の閾値をＮ１、Ｎ２（Ｎ１＜Ｎ２）とした場合、使用回数がＮ１を超えた場合には、使用回数がＮ１を超えた反応容器について測定中には特別な洗浄が実施されず、測定終了後に新たな測定依頼が無ければ、特別な洗浄が実施される。測定終了後に新たな測定依頼が有れば、特別な洗浄は実施せず、使用回数がＮ１を超えた反応容器を用いてそのまま新たな測定依頼に対する測定を実施する。一方、使用回数がＮ２を超えた場合には、使用回数がＮ２を超えた反応容器について測定終了後に新たな測定依頼が有っても新たな測定を割り当てないで、特別な洗剤による洗浄が実施される。
【００８８】
（その他の変形例）
反応容器３毎に特別な洗剤による洗浄の実施回数を記憶し、表示装置に表示してもよい。また、反応容器の交換タイミングや、その交換タイミングの閾値を表示装置に表示された画面を介して入力装置で変更可能にしてもよい。
【００８９】
また特別な洗剤による洗浄の実施回数を記憶する代わりに、特定の試薬項目の総使用回数を記憶し閾値としてもよい。
【００９０】
本発明は、上記した実施例に限定されるものではなく、様々な変形例が含まれる。例えば、上記した実施例は本発明を分かりやすく説明するために詳細に説明したものであり、必ずしも説明したすべての構成を備えるものに限定されるものではない。ある実施例の構成の一部を他の実施例の構成に置き換えることが可能であり、ある実施例の構成に他の実施例の構成を加えることも可能である。各実施例の構成の一部について、他の構成の追加・削除・置換をすることが可能である。
【符号の説明】
【００９１】
１…サンプル容器
２…サンプルディスク
３…反応容器
４…反応ディスク
５…検体サンプリング機構
６…試薬容器
７…試薬ディスク
８…Ｒ１試薬サンプリング機構
９…Ｒ２／３試薬サンプリング機構
１０…測光部
１１…コード読み取り機構
１２…洗浄機構
１３…Ｒ１撹拌機構
１４…Ｒ２／３撹拌機構
１５…特別な洗剤専用のノズル
２０…制御装置
２０１…プロセッサ
２０１ａ…計数部
２０１ｂ…判断部
２０１ｃ…制御部
２０２…記憶部
１００Ａ、１００Ｂ…自動分析装置
【図１】
2014171346.tif 000003
【図２Ａ】
2014171346.tif 000004
【図２Ｂ】
2014171346.tif 000005
【図３】
2014171346.tif 000006
【図４】
2014171346.tif 000007
【図５】
2014171346.tif 000008
【図６】
2014171346.tif 000009
【図７】
2014171346.tif 000010
【国際調査報告】
2014171346.tif 000011
2014171346.tif 000012
2014171346.tif 000013
2014171346.tif 000014